(57)【要約】【課題】モジュラープラグの誤挿入を確実に阻止するモジュラージャックを提供する。【解決手段】ジャック１０は、プラグハウジング９１ｈ、キー９１ｋ、及びコンタクト９１ｃを有するプラグ９１が電気的に接続される。ジャック１０は、プラグハウジング９１ｈが嵌合する開口１１ａに連設されたプラグ収容室１１を有するハウジング１と、コンタクト９１ｃと接続するコンタクト７と、プラグ収容室１１の内部に回動可能に配置されたシャッター３と、を備える。シャッター３は、正規のプラグ９１を開口１１ａから挿入したときは、倒伏して正規のプラグ９１がプラグ収容室１１に進入することを許容し、異極のプラグ９２を開口１１ａから挿入したときは、傾倒状態を維持して異極のプラグ９２がプラグ収容室１１に進入することを阻止する。【選択図】図１
2013222523.tif 000002
【特許請求の範囲】
【請求項１】
外形が直方体状に形成されたプラグハウジング、このプラグハウジングの一方の端面から四角柱状に突出すると共に、当該プラグハウジングの一方の側面に一部が帯状に延びるキー、及び前記プラグハウジングに配列された複数の相手側コンタクトを有するモジュラープラグが電気的に接続されるモジュラージャックであって、
前記キーを案内するキー溝、又は前記キーが通過する一対の対向壁を設けると共に、前記プラグハウジングが嵌合する開口、及びこの開口に連設された空洞のプラグ収容室を有する直方体状のハウジングと、
前記プラグ収容室の奥側に配列され、前記相手側コンタクトと接続する複数のコンタクトと、
前記プラグ収容室の内部の開口側に回動可能に配置され、略起立状態に復帰する力が付勢されたシャッターと、を備え、
前記シャッターは、
前記コンタクトと同数の前記相手側コンタクトを有する正規のモジュラープラグを前記開口から挿入したときは、倒伏して正規の前記モジュラープラグが前記プラグ収容室に進入することを許容し、
前記コンタクトより少ない数の前記相手側コンタクトを有する異極のモジュラープラグを前記開口から挿入したときは、傾倒状態又は略起立状態を維持して異極の前記モジュラープラグが前記プラグ収容室に進入することを阻止するモジュラージャック。
【請求項２】
前記シャッターは、
基端部が前記ハウジングと回動可能に連結すると共に、異極の前記プラグハウジングを幅方向に挿入可能に離隔した一対の第１回動アームと、
これらの第１回動アームの先端部側を連結すると共に、前記キーを高さ方向に挿入可能に配置された帯状の第１阻止部と、
一対の前記第１回動アームから前記開口側に向けて突出し、正規の前記プラグハウジングの一方の端面の幅方向の両翼に当接可能な第１当接部と、を有し、
前記コンタクトと同数の前記相手側コンタクトを有する正規のモジュラープラグを前記開口から挿入したときは、当該プラグハウジングの一方の端面の両翼が一対の前記第１当接部に当接して、正規の前記モジュラープラグが前記プラグ収容室に進入可能に前記シャッターを倒伏し、
前記コンタクトより少ない数の前記相手側コンタクトを有する異極のモジュラープラグを前記開口から挿入したときは、当該プラグハウジングの一方の端面が一対の前記第１当接部の間を通過すると共に、前記第１阻止部が前記キーに係止して、異極の前記モジュラープラグが前記プラグ収容室に進入することを阻止可能に前記シャッターの傾倒状態を維持する、請求項１記載のモジュラージャック。
【請求項３】
前記シャッターは、
基端部が前記ハウジングと回動可能に連結すると共に、異極の前記プラグハウジングを幅方向に挿入可能に離隔した一対の第２回動アームと、
これらの第２回動アームを連結すると共に、前記キーを幅方向に挿入可能に配置された帯状の第２阻止部と、
一対の前記第２回動アームから前記開口側に向けて突出し、正規の前記プラグハウジングの一方の端面の幅方向の両翼に当接可能な第２当接部と、を有し、
前記コンタクトと同数の前記相手側コンタクトを有する正規のモジュラープラグを前記開口から挿入したときは、当該プラグハウジングの一方の端面の両翼が一対の前記第２当接部に当接して、正規の前記モジュラープラグが前記プラグ収容室に進入可能に前記シャッターを倒伏し、
前記コンタクトより少ない数の前記相手側コンタクトを有する異極のモジュラープラグを前記開口から挿入したときは、当該プラグハウジングの一方の端面が前記第２阻止部に当接して一対の前記第２回動アームを一方の方向に回動させる共に、前記キーの端面が前記第２阻止部に当接して一対の前記第２回動アームを他方の方向に回動させて、異極の前記モジュラープラグが前記プラグ収容室に進入することを阻止可能に前記シャッターの略起立状態を維持する、請求項１記載のモジュラージャック。
【請求項４】
前記プラグハウジングは、一方の側面に配置され、基端部が前記キーに連設されたロックレバーを更に備え、
前記シャッターは、倒伏した状態で、前記ロックレバーに設けた係止爪に係合する係止部を更に有する請求項３記載のモジュラージャック。
【請求項５】
前記ハウジングの外壁を覆うと共に、外殻を構成する金属製のシェルを更に備える請求項１から４のいずれかに記載のモジュラージャック。
【請求項６】
前記コンタクトは、前記相手側コンタクトを押す方向に変位可能なスネークスプリングを含んでいる請求項１から５のいずれかに記載のモジュラージャック。
【請求項７】
プリント基板に実装される請求項１から６のいずれかに記載のモジュラージャック。
【発明の詳細な説明】
【技術分野】
【０００１】
本発明は、モジュラージャックに関する。特に、ＬＡＮ（ｌｏｃａｌ  ａｒｅａ  ｎｅｔｗｏｒｋ）用のモジュラープラグが接続されるモジュラージャックであって、異なる規格を有するモジュラープラグの誤挿入を防止する手段を備えたモジュラージャックの構造に関する。
【背景技術】
【０００２】
パーソナルコンピュータ（いわゆるパソコン）などの電子機器は、ＬＡＮに接続するためのＬＡＮ用のモジュラージャック、又は、電話回線に接続するための電話用のモジュラージャックを側面又は背面などに配置している。又、ＬＡＮ用のモジュラージャックと電話用のモジュラージャックをパソコンなどの電子機器に併設している場合もある。
【０００３】
ＬＡＮ用のモジュラープラグとしては、８ピンのコンタクトを有する「ＲＪ４５」プラグが普及している。又、電話用のモジュラープラグとしては、６ピンのコンタクトを有する「ＲＪ１１」プラグが普及している。
【０００４】
なお、「ＲＪ４５」及び「ＲＪ１１」は、通信用コネクタの一種であり、米連邦通信委員会に登録された「Ｒｅｇｉｓｔｅｒｅｄ  ｊａｃｋ（ＲＪ）」であるが、この明細書では、「ＲＪ４５」を米連邦通信委員会が規格した電話用ＲＪ４５ではなく、広く普及したコンピュータ用ＲＪ４５として取り扱う。
【０００５】
ところで、ＲＪ１１プラグの外形は、ＲＪ４５プラグの外形より僅かに小さく、外観が類似しているため、ＲＪ１１プラグをＲＪ４５ジャックに誤挿入することがある。この場合、ＲＪ４５ジャックに配置した一対の両端部のコンタクトを変形、又は破損させるという不具合を発生させることがある。
【０００６】
上述した不具合を解消するため、異なる規格を有するモジュラープラグをモジュラージャックの開口に挿入しようとすると、退避することなく、傾斜面に沿って、モジュラープラグを挿入方向と異なる方向に移動させて、このモジュラープラグの進入を阻止する誤挿入防止部材をモジュラージャックの開口の隅部に設けたモジュラージャックが開示されている（例えば、特許文献１参照）。
【０００７】
又、上述した不具合を解消するため、電話用プラグの誤挿入を防止する一対の誤挿入防止部材をＬＡＮ用モジュラージャックのプラグ挿入開口の内壁左右両側面に設け、誤挿入防止部材は、ＬＡＮ用プラグの先端両角部によって左右に押し広げられるガイド片と、ガイド片の先端部に設けられ、電話用プラグの側面を支持する支持片と、支持片の先端部に設けられ、電話用プラグの先端部を受け止める爪片と、を有し、電話用プラグがＬＡＮ用モジュラージャックに挿入されたときには、電話用プラグが爪片により受け止められることによって挿入が防止されるＬＡＮ用モジュラージャックが開示されている（例えば、特許文献２参照）。
【先行技術文献】
【特許文献】
【０００８】
【特許文献１】特開２００６−３３１９７８号公報
【特許文献２】特開２００６−２２８４４９号公報
【発明の概要】
【発明が解決しようとする課題】
【０００９】
特許文献１によるモジュラージャックは、部品点数の削減と製造コストの削減が可能な、誤挿入防止用モジュラージャックを提供できる、としている。しかしながら、特許文献１によるモジュラージャックは、異なる規格を有するモジュラープラグの操作如何によって、誤挿入防止部材が退避してしまう可能性がある。異なる規格を有するモジュラープラグの進入を確実に阻止する誤挿入防止用モジュラージャックが求められている。
【００１０】
特許文献２によるモジュラージャックは、規格の異なるプラグがモジュラージャックに挿入されることを確実に防止できる、としている。しかしながら、特許文献２によるモジュラージャックは、一対の爪片が相反する向きに開いて、異なる規格を有するモジュラープラグの進入を許容する可能性を否定できない。異なる規格を有するモジュラープラグの進入を確実に阻止する誤挿入防止用モジュラージャックが求められている。
【００１１】
又、上述したようなモジュラージャックは、近年では、プリント基板に実装され、ノート形パソコンなどの電子機器に装着されている。しかしながら、特許文献１によるモジュラージャック及び特許文献２によるモジュラージャックは、それらのハウジングの厚さが大きいので、ノート形パソコンに装着した場合に、ノート形パソコンの厚さを大きくするという問題がある。プリント基板に実装できると共に、その実装高さを低減した、いわゆる低背化した誤挿入防止用モジュラージャックが求められている。そして、以上のことが本発明の課題といってよい。
【００１２】
本発明は、このような課題に鑑みてなされたものであり、異なる規格を有するモジュラープラグの進入を確実に阻止すると共に、低背化した誤挿入防止用モジュラージャックを提供することを目的とする。
【課題を解決するための手段】
【００１３】
本発明者は、異なる規格を有するモジュラープラグと正規のモジュラープラグでは、ロックアームの基端部の一部が挿入面から突出していることは共通しているが、挿入面の横幅が異なることに着目し、異なる規格を有するモジュラープラグの進入を阻止するが、正規のモジュラープラグの進入を許容する回動可能なシャッターをモジュラープラグが挿入されるプラグ収容室の開口側に配置することにより、これらの課題が解決可能なことを見出し、これに基づいて、以下のような新たなモジュラージャックを発明するに至った。
【００１４】
（１）  外形が直方体状に形成されたプラグハウジング、このプラグハウジングの一方の端面から四角柱状に突出すると共に、当該プラグハウジングの一方の側面に一部が帯状に延びるキー、及び前記プラグハウジングに配列された複数の相手側コンタクトを有するモジュラープラグが電気的に接続されるモジュラージャックであって、前記キーを案内するキー溝、又は前記キーが通過する一対の対向壁を設けると共に、前記プラグハウジングが嵌合する開口、及びこの開口に連設された空洞のプラグ収容室を有する直方体状のハウジングと、前記プラグ収容室の奥側に配列され、前記相手側コンタクトと接続する複数のコンタクトと、前記プラグ収容室の内部の開口側に回動可能に配置され、略起立状態に復帰する力が付勢されたシャッターと、を備え、前記シャッターは、前記コンタクトと同数の前記相手側コンタクトを有する正規のモジュラープラグを前記開口から挿入したときは、倒伏して正規の前記モジュラープラグが前記プラグ収容室に進入することを許容し、前記コンタクトより少ない数の前記相手側コンタクトを有する異極のモジュラープラグを前記開口から挿入したときは、傾倒状態又は略起立状態を維持して異極の前記モジュラープラグが前記プラグ収容室に進入することを阻止するモジュラージャック。
【００１５】
（１）の発明によるモジュラージャックは、モジュラープラグが電気的に接続される。モジュラープラグは、プラグハウジング、キー、及び複数の相手側コンタクトを有している。プラグハウジングは、外形が直方体状に形成されている。キーは、プラグハウジングの一方の端面から四角柱状に突出している。又、キーは、プラグハウジングの一方の側面に一部が帯状に延びている。複数の相手側コンタクトは、プラグハウジングに配列されている。
【００１６】
（１）の発明によるモジュラージャックは、直方体状のハウジング、複数のコンタクト、及びシャッターを備えている。ハウジングは、キーを案内するキー溝、又はキーが通過する一対の対向壁を設けている。又、ハウジングは、プラグハウジングが嵌合する開口、及び開口に連設された空洞のプラグ収容室を有している。複数のコンタクトは、プラグ収容室の奥側に配列され、相手側コンタクトと接続できる。シャッターは、プラグ収容室の内部の開口側に回動可能に配置されている。又、シャッターは、略起立状態に復帰する力が付勢されている。
【００１７】
シャッターは、コンタクトと同数の相手側コンタクトを有する正規のモジュラープラグを開口から挿入したときは、倒伏して正規のモジュラープラグがプラグ収容室に進入することを許容する。
【００１８】
一方、シャッターは、コンタクトより少ない数の相手側コンタクトを有する異極のモジュラープラグを開口から挿入したときは、傾倒状態又は略起立状態を維持して異極のモジュラープラグがプラグ収容室に進入することを阻止する。
【００１９】
（１）の発明によるモジュラージャックは、正規のモジュラープラグをプラグ収容室の開口から挿入したときは、倒伏してプラグ収容室に進入することを許容するが、異極のモジュラープラグをプラグ収容室の開口から挿入したときは、傾倒状態又は略起立状態を維持してプラグ収容室に進入することを阻止するシャッターを備えているので、異なる規格を有するモジュラープラグの進入を確実に阻止できる。
【００２０】
（２）  前記シャッターは、基端部が前記ハウジングと回動可能に連結すると共に、異極の前記プラグハウジングを幅方向に挿入可能に離隔した一対の第１回動アームと、これらの第１回動アームの先端部側を連結すると共に、前記キーを高さ方向に挿入可能に配置された帯状の第１阻止部と、一対の前記第１回動アームから前記開口側に向けて突出し、正規の前記プラグハウジングの一方の端面の幅方向の両翼に当接可能な第１当接部と、を有し、前記コンタクトと同数の前記相手側コンタクトを有する正規のモジュラープラグを前記開口から挿入したときは、当該プラグハウジングの一方の端面の両翼が一対の前記第１当接部に当接して、正規の前記モジュラープラグが前記プラグ収容室に進入可能に前記シャッターを倒伏し、前記コンタクトより少ない数の前記相手側コンタクトを有する異極のモジュラープラグを前記開口から挿入したときは、当該プラグハウジングの一方の端面が一対の前記第１当接部の間を通過すると共に、前記第１阻止部が前記キーに係止して、異極の前記モジュラープラグが前記プラグ収容室に進入することを阻止可能に前記シャッターの傾倒状態を維持する、（１）記載のモジュラージャック。
【００２１】
（２）の発明によるモジュラージャックは、シャッターが一対の第１回動アームを有している。これらの第１回動アームは、帯状の第１阻止部と第１当接部を有している。一対の第１回動アームは、基端部がハウジングと回動可能に連結している。又、一対の第１回動アームは、異極のプラグハウジングを幅方向に挿入可能に離隔している。
【００２２】
第１阻止部は、一対の第１回動アームの先端部側を連結している。そして、第１阻止部は、キーを高さ方向に挿入可能に配置されている。第１当接部は、第１回動アームから開口側に向けて突出している。そして、一対の第１当接部は、正規のプラグハウジングの一方の端面の幅方向の両翼に当接できる。
【００２３】
コンタクトと同数の相手側コンタクトを有する正規のモジュラープラグを開口から挿入したときは、プラグハウジングの一方の端面の両翼が一対の第１当接部に当接して、正規のモジュラープラグがプラグ収容室に進入できるように、シャッターを倒伏させる。
【００２４】
一方、コンタクトより少ない数の相手側コンタクトを有する異極のモジュラープラグを開口から挿入したときは、プラグハウジングの一方の端面が一対の第１当接部の間を通過すると共に、第１阻止部がキーに係止して、異極のモジュラープラグがプラグ収容室に進入することを阻止できるように、シャッターの傾倒状態を維持できる。
【００２５】
（２）の発明によるモジュラージャックは、異なる規格を有するモジュラープラグと正規のモジュラープラグでは、キーがハウジングの挿入面から突出していることは共通しているが、ハウジングの挿入面の横幅が異なることに着目し、シャッターがキーに係止して、異なる規格を有するモジュラープラグの進入を阻止するが、シャッターがキーに係合することなく、正規のモジュラープラグの進入を許容する回動可能なシャッターをモジュラープラグが挿入されるプラグ収容室の開口側に配置しているので、異なる規格を有するモジュラープラグの進入を確実に阻止できる。
【００２６】
（３）  前記シャッターは、基端部が前記ハウジングと回動可能に連結すると共に、異極の前記プラグハウジングを幅方向に挿入可能に離隔した一対の第２回動アームと、これらの第２回動アームを連結すると共に、前記キーを幅方向に挿入可能に配置された帯状の第２阻止部と、一対の前記第２回動アームから前記開口側に向けて突出し、正規の前記プラグハウジングの一方の端面の幅方向の両翼に当接可能な第２当接部と、を有し、前記コンタクトと同数の前記相手側コンタクトを有する正規のモジュラープラグを前記開口から挿入したときは、当該プラグハウジングの一方の端面の両翼が一対の前記第２当接部に当接して、正規の前記モジュラープラグが前記プラグ収容室に進入可能に前記シャッターを倒伏し、前記コンタクトより少ない数の前記相手側コンタクトを有する異極のモジュラープラグを前記開口から挿入したときは、当該プラグハウジングの一方の端面が前記第２阻止部に当接して一対の前記第２回動アームを一方の方向に回動させる共に、前記キーの端面が前記第２阻止部に当接して一対の前記第２回動アームを他方の方向に回動させて、異極の前記モジュラープラグが前記プラグ収容室に進入することを阻止可能に前記シャッターの略起立状態を維持する、（１）記載のモジュラージャック。
【００２７】
（３）の発明によるモジュラージャックは、シャッターが一対の第２回動アームを有している。これらの第２回動アームは、帯状の第２阻止部と第２当接部を有している。一対の第２回動アームは、基端部がハウジングと回動可能に連結している。又、一対の第２回動アームは、異極の前記プラグハウジングを幅方向に挿入可能に離隔している。
【００２８】
第２阻止部は、一対の第２回動アームを連結している。そして、第２阻止部は、キーを幅方向に挿入可能に配置されている。第２当接部は、第２回動アームから開口側に向けて突出している。そして、第２当接部は、正規のプラグハウジングの一方の端面の幅方向の両翼に当接できる。
【００２９】
コンタクトと同数の相手側コンタクトを有する正規のモジュラープラグを開口から挿入したときは、プラグハウジングの一方の端面の両翼が一対の第２当接部に当接して、正規のモジュラープラグがプラグ収容室に進入できるように、シャッターを倒伏させる。
【００３０】
一方、コンタクトより少ない数の相手側コンタクトを有する異極のモジュラープラグを開口から挿入したときは、プラグハウジングの一方の端面が第２阻止部に当接して一対の第２回動アームを一方の方向に回動させる共に、キーの端面が第２阻止部に当接して一対の第２回動アームを他方の方向に回動させて、異極のモジュラープラグがプラグ収容室に進入することを阻止できるように、シャッターの略起立状態を維持できる。
【００３１】
（３）の発明によるモジュラージャックは、異なる規格を有するモジュラープラグと正規のモジュラープラグでは、キーがハウジングの挿入面から突出していることは共通しているが、ハウジングの挿入面の横幅が異なることに着目し、シャッターの回転がキーに阻止されて、異なる規格を有するモジュラープラグの進入を阻止するが、シャッターの回転がキーに阻止されることなく、正規のモジュラープラグの進入を許容する回動可能なシャッターをモジュラープラグが挿入されるプラグ収容室の開口側に配置しているので、異なる規格を有するモジュラープラグの進入を確実に阻止できる。
【００３２】
（４）  前記プラグハウジングは、一方の側面に配置され、基端部が前記キーに連設されたロックレバーを更に備え、前記シャッターは、倒伏した状態で、前記ロックレバーに設けた係止爪に係合する係止部を更に有する（３）記載のモジュラージャック。
【００３３】
（５）  前記ハウジングの外壁を覆うと共に、外殻を構成する金属製のシェルを更に備える（１）から（４）のいずれかに記載のモジュラージャック。
【００３４】
（６）  前記コンタクトは、前記相手側コンタクトを押す方向に変位可能なスネークスプリングを含んでいる（１）から（５）のいずれかに記載のモジュラージャック。
【００３５】
（７）  プリント基板に実装される（１）から（６）のいずれかに記載のモジュラージャック。
【発明の効果】
【００３６】
本発明によるモジュラージャックは、正規のモジュラープラグをプラグ収容室の開口から挿入したときは、倒伏してプラグ収容室に進入することを許容するが、異極のモジュラープラグをプラグ収容室の開口から挿入したときは、傾倒状態を維持してプラグ収容室に進入することを阻止するシャッターを備えているので、異なる規格を有するモジュラープラグの進入を確実に阻止できる。
【図面の簡単な説明】
【００３７】
【図１】本発明の第１実施形態によるモジュラージャックの構成を示す斜視図であり、図１（Ａ）は、第１実施形態によるモジュラージャックに接続される正規のモジュラープラグを配置し、図１（Ｂ）は、異極のモジュラープラグを配置している。
【図２】正規のモジュラープラグの構成を示す図であり、図２（Ａ）は正面図、図２（Ｂ）は平面図、図２（Ｃ）は右側面図、図２（Ｄ）は左側面図、図２（Ｅ）は背面図、図２（Ｆ）は底面図、図２（Ｃ）は斜視図である。
【図３】異極のモジュラープラグの構成を示す図であり、図３（Ａ）は正面図、図３（Ｂ）は平面図、図３（Ｃ）は右側面図、図３（Ｄ）は左側面図、図３（Ｅ）は背面図、図３（Ｆ）は底面図、図３（Ｃ）は斜視図である。
【図４】第１実施形態によるモジュラージャックの構成を示す斜視分解組立図である。
【図５】第１実施形態によるモジュラージャックに備わるハウジングの構成を示す図であり、図５（Ａ）は正面図、図５（Ｂ）は平面図、図５（Ｃ）は右側面図、図５（Ｄ）は左側面図、図５（Ｅ）は底面図、図５（Ｆ）は背面図、図５（Ｇ）は斜視図である。
【図６】第１実施形態によるモジュラージャックに備わるシャッターの構成を示す図であり、図６（Ａ）は正面図、図６（Ｂ）は平面図、図６（Ｃ）は右側面図、図６（Ｄ）は左側面図、図６（Ｅ）は底面図、図６（Ｆ）は背面図、図６（Ｇ）は斜視図である。
【図７】第１実施形態によるモジュラージャックに備わるシェルの構成を示す図であり、図７（Ａ）は正面図、図７（Ｂ）は平面図、図７（Ｃ）は右側面図、図７（Ｄ）は左側面図、図７（Ｅ）は底面図、図７（Ｆ）は背面図、図７（Ｇ）は斜視図である。
【図８】第１実施形態によるモジュラージャックに備わるコンタクトの構成を示す図であり、図８（Ａ）は、コンタクトの斜視図、図８（Ｂ）は、コンタクトの右側面図である。
【図９】第１実施形態によるモジュラージャックの構成を示す斜視図であり、図９（Ａ）は、第１実施形態によるモジュラージャックを底面側から観た状態図、図９（Ｂ）は、第１実施形態によるモジュラージャックに正規のモジュラープラグがロックされた状態図である。
【図１０】第１実施形態によるモジュラージャックの構成を示す斜視図であり、図１０（Ａ）は、シャッターが起立した状態図、図１０（Ｂ）は、シャッターが傾倒した状態図、図１０（Ｃ）は、シャッターが倒伏した状態図である。
【図１１】第１実施形態によるモジュラージャックに設けたプラグ収容室を縦断面で示した斜視図であり、図１２（Ａ）は、正規のモジュラープラグをプラグ収容室に挿入した状態図、図１２（Ｂ）は、正規のモジュラープラグをプラグ収容室に進入させた状態図、図１２（Ｃ）は、正規のモジュラープラグをプラグ収容室に更に進入させた状態図、図１２（Ｄ）は、正規のモジュラープラグをプラグ収容室に完全に進入させた状態図である。
【図１２】第１実施形態によるモジュラージャックに設けたプラグ収容室を縦断面で示した斜視図であり、図１１（Ａ）は、異極のモジュラープラグをプラグ収容室に挿入した状態図、図１１（Ｂ）は、異極のモジュラープラグがプラグ収容室に進入することを阻止された状態図である。
【図１３】本発明の第２実施形態によるモジュラージャックの構成を示す斜視図であり、図１３（Ａ）は、第２実施形態によるモジュラージャックに接続される正規のモジュラープラグを配置し、図１３（Ｂ）は、異極のモジュラープラグを配置している。
【図１４】第２実施形態によるモジュラージャックの構成を示す斜視分解組立図である。
【図１５】第２実施形態によるモジュラージャックに備わるハウジングの構成を示す図であり、図１５（Ａ）は正面図、図１５（Ｂ）は平面図、図１５（Ｃ）は右側面図、図１５（Ｄ）は左側面図、図１５（Ｅ）は底面図、図１５（Ｆ）は背面図、図１５（Ｇ）は斜視図である。
【図１６】第２実施形態によるモジュラージャックに備わるシャッターの構成を示す図であり、図１６（Ａ）は正面図、図１６（Ｂ）は平面図、図１６（Ｃ）は右側面図、図１６（Ｄ）は左側面図、図１６（Ｅ）は底面図、図１６（Ｆ）は背面図、図１６（Ｇ）は斜視図である。
【図１７】第２実施形態によるモジュラージャックに備わるシェルの構成を示す図であり、図１７（Ａ）は正面図、図１７（Ｂ）は平面図、図１７（Ｃ）は右側面図、図１７（Ｄ）は左側面図、図１７（Ｅ）は底面図、図１７（Ｆ）は背面図、図１７（Ｇ）は斜視図である。
【図１８】第２実施形態によるモジュラージャックに備わるコンタクトの構成を示す図であり、図１８（Ａ）は、コンタクトの斜視図、図１８（Ｂ）は、コンタクトの右側面図である。
【図１９】第２実施形態によるモジュラージャックの構成を示す斜視図であり、図１９（Ａ）は、第２実施形態によるモジュラージャックを底面側から観た状態図、図１９（Ｂ）は、第２実施形態によるモジュラージャックに正規のモジュラープラグがロックされた状態図である。
【図２０】第２実施形態によるモジュラージャックの構成を示す斜視図であり、図２０（Ａ）の上段は、シャッターが起立した状態図、図２０（Ｂ）の中段は、シャッターが傾倒した状態図、図２０（Ｃ）の下段は、シャッターが倒伏した状態図である。
【図２１】第２実施形態によるモジュラージャックに設けたプラグ収容室を縦断面で示した斜視図であり、図２１（Ａ）は、正規のモジュラープラグをプラグ収容室に挿入した状態図、図２１（Ｂ）は、正規のモジュラープラグをプラグ収容室に進入させた状態図、図２１（Ｃ）は、正規のモジュラープラグをプラグ収容室に更に進入させた状態図、図２１（Ｄ）は、正規のモジュラープラグをプラグ収容室に完全に進入させた状態図である。
【図２２】第２実施形態によるモジュラージャックに設けたプラグ収容室を縦断面で示した斜視図であり、図２２（Ａ）は、異極のモジュラープラグをプラグ収容室に挿入した状態図、図２２（Ｂ）は、異極のモジュラープラグがプラグ収容室に進入することを阻止された状態図である。
【図２３】第２実施形態によるモジュラージャックに設けたプラグ収容室を縦断面で示した斜視図であり、正規のモジュラープラグをプラグ収容室に挿入する前の状態図である。
【図２４】第２実施形態によるモジュラージャックに設けたプラグ収容室を縦断面で示した斜視図であり、正規のモジュラープラグをプラグ収容室に挿入したときのコンタクトの状態変化を想像線で示している。
【図２５】第２実施形態によるモジュラージャックに設けたプラグ収容室に正規のモジュラープラグを挿入した状態を縦断面で示した斜視図である。
【発明を実施するための形態】
【００３８】
以下、図面を参照して本発明を実施するための形態を説明する。なお、本発明の実施形態によるモジュラージャックに接続される正規のモジュラープラグを「ＲＪ４５プラグ」とし、異極のモジュラープラグを「ＲＪ１１プラグ」として、以下に説明する。
【００３９】
［第１実施形態］
（モジュラージャックの構成）
最初に、本発明の第１実施形態によるモジュラージャックの構成を説明する。図１は、本発明の第１実施形態によるモジュラージャックの構成を示す斜視図であり、図１（Ａ）は、第１実施形態によるモジュラージャックに接続される正規のモジュラープラグを配置し、図１（Ｂ）は、異極のモジュラープラグを配置している。
【００４０】
図２は、正規のモジュラープラグの構成を示す図であり、図２（Ａ）は正面図、図２（Ｂ）は平面図、図２（Ｃ）は右側面図、図２（Ｄ）は左側面図、図２（Ｅ）は背面図、図２（Ｆ）は底面図、図２（Ｃ）は斜視図である。
【００４１】
図３は、異極のモジュラープラグの構成を示す図であり、図３（Ａ）は正面図、図３（Ｂ）は平面図、図３（Ｃ）は右側面図、図３（Ｄ）は左側面図、図３（Ｅ）は背面図、図３（Ｆ）は底面図、図３（Ｃ）は斜視図である。
【００４２】
図１（Ａ）を参照すると、第１実施形態によるモジュラージャック（以下、ジャックと略称する）１０は、プリント基板１ｐの実装面１１ｐに実装されている。ジャック１０は、正規のモジュラープラグ（以下、プラグと略称する）９１が電気的に接続される。ジャック１０には、プリント基板１ｐの実装面１１ｐと略平行にプラグ９１を挿入できる。第１実施形態によるジャック１０は、プラグ９１がプリント基板１ｐの実装面１１ｐと略平行に挿入される水平取付形コネクタを構成している。図１（Ｂ）を参照すると、ジャック１０には、その開口１１ａに異極のプラグ９２を挿入できる。
【００４３】
（正規のモジュラープラグの構成）
図１（Ａ）及び図２を参照すると、正規のプラグ９１は、ＲＪ４５プラグを示している。正規のプラグ９１は、プラグハウジング９１ｈ、キー９１ｋ、及び相手側コンタクトとなる八つのコンタクト９１ｃを有している。プラグハウジング９１ｈは、外形が直方体状に形成されている。キー９１ｋは、プラグハウジング９１ｈの一方の端面９１ａから四角柱状に突出している。又、キー９１ｋは、プラグハウジング９１ｈの一方の側面に一部が帯状に延びている。
【００４４】
図１（Ａ）及び図２を参照すると、プラグハウジング９１ｈは、ロックレバー９１ｒを更に備えている。ロックレバー９１ｒは、プラグハウジング９１ｈの一方の側面に配置され、基端部がキー９１ｋに連設されている。又、ロックレバー９１ｒは、一対の係止爪９１ｎ・９１ｎを設けている。
【００４５】
図１（Ａ）及び図２を参照すると、プラグハウジング９１ｈは、櫛の歯状に形成された八つの切り欠き溝を一方の端部に形成している。そして、これらの切り欠き溝に板状のコンタクト９１ｃを配列している。コンタクト９１ｃは、コンタクト７（図４参照）が接触できるように、板厚面が露出している。
【００４６】
（異極のモジュラープラグの構成）
図１（Ｂ）及び図３を参照すると、異極のプラグ９２は、ＲＪ１１プラグを示している。異極のプラグ９２は、プラグハウジング９２ｈ、キー９２ｋ、及び相手側コンタクトとなる六つのコンタクト９２ｃを有している。プラグハウジング９２ｈは、外形が直方体状に形成されている。キー９２ｋは、プラグハウジング９２ｈの一方の端面９２ａから四角柱状に突出している。又、キー９２ｋは、プラグハウジング９２ｈの一方の側面に一部が帯状に延びている。
【００４７】
図１（Ｂ）及び図３を参照すると、プラグハウジング９２ｈは、ロックレバー９２ｒを更に備えている。ロックレバー９２ｒは、プラグハウジング９２ｈの一方の側面に配置され、基端部がキー９２ｋに連設されている。又、ロックレバー９２ｒは、一対の係止爪９２ｎ・９２ｎを設けている。
【００４８】
図１（Ｂ）及び図３を参照すると、プラグハウジング９２ｈは、櫛の歯状に形成された六つの切り欠き溝を一方の端部に形成している。そして、これらの切り欠き溝に板状のコンタクト９２ｃを配列している。コンタクト９２ｃは、図示しないコンタクトが接触できるように、板厚面が露出している。
【００４９】
図１から図３を参照して、正規のプラグ９１と異極のプラグ９２を対比すると、プラグハウジング９１ｈの高さＨ１とプラグハウジング９２ｈの高さＨ２は、同じである。つまり、Ｈ１＝Ｈ２の関係になっている。一方、プラグハウジング９１ｈの横幅Ｗ１とプラグハウジング９２ｈの横幅Ｗ２は、異なっている。つまり、Ｗ１＞Ｗ２の関係になっている。又、キー９１ｋとキー９２ｋは、同じ形状になっている。したがって、異極のプラグ９２をジャック１０の開口１１ａに挿入することができる。
【００５０】
引き続き、第１実施形態によるジャック１０の構成を説明する。図４は、第１実施形態によるモジュラージャックの構成を示す斜視分解組立図である。図５は、第１実施形態によるモジュラージャックに備わるハウジングの構成を示す図であり、図５（Ａ）は正面図、図５（Ｂ）は平面図、図５（Ｃ）は右側面図、図５（Ｄ）は左側面図、図５（Ｅ）は底面図、図５（Ｆ）は背面図、図５（Ｇ）は斜視図である。
【００５１】
図６は、第１実施形態によるモジュラージャックに備わるシャッターの構成を示す図であり、図６（Ａ）は正面図、図６（Ｂ）は平面図、図６（Ｃ）は右側面図、図６（Ｄ）は左側面図、図６（Ｅ）は底面図、図６（Ｆ）は背面図、図６（Ｇ）は斜視図である。
【００５２】
図７は、第１実施形態によるモジュラージャックに備わるシェルの構成を示す図であり、図７（Ａ）は正面図、図７（Ｂ）は平面図、図７（Ｃ）は右側面図、図７（Ｄ）は左側面図、図７（Ｅ）は底面図、図７（Ｆ）は背面図、図７（Ｇ）は斜視図である。
【００５３】
図８は、第１実施形態によるモジュラージャックに備わるコンタクトの構成を示す図であり、図８（Ａ）は、コンタクトの斜視図、図８（Ｂ）は、コンタクトの右側面図である。図９は、第１実施形態によるモジュラージャックの構成を示す斜視図であり、図９（Ａ）は、第１実施形態によるモジュラージャックを底面側から観た状態図、図９（Ｂ）は、第１実施形態によるモジュラージャックに正規のモジュラープラグがロックされた状態図である。
【００５４】
図１０は、第１実施形態によるモジュラージャックの構成を示す斜視図であり、図１０（Ａ）は、シャッターが起立した状態図、図１０（Ｂ）は、シャッターが傾倒した状態図、図１０（Ｃ）は、シャッターが倒伏した状態図である。
【００５５】
図４から図８を参照すると、第１実施形態によるジャック１０は、直方体状のハウジング１とシャッター３を備えている。又、ジャック１０は、ねじりコイルばね１ｓ、金属製のシェル５、及び八つのコンタクト７を備えている。
【００５６】
図２及び図５を参照すると、ハウジング１は、絶縁性を有する合成樹脂を成形している。そして、ハウジング１は、プラグハウジング９１ｈが嵌合する矩形の開口１１ａ、及び開口１１ａに連設された空洞のプラグ収容室１１を有している。又、ハウジング１は、キー９１ｋを案内するキー溝１１ｄを設けている。
【００５７】
（シャッターの構成）
図１又は図６及び図９を参照すると、シャッター３は、所定の形状に打ち抜き加工された金属製の展開板を折り曲げ成形している。シャッター３は、硬質の合成樹脂を成形してもよい。シャッター３は、プラグ収容室１１の内部の開口１１ａ側に回動可能に配置されている。ねじりコイルばね１ｓは、シャッター３が略起立状態に復帰する力を付勢している。ねじりコイルばね１ｓは、ハウジング１の一方の側面に穿設された収容穴１４ｈに収容できる（図５（Ｄ）参照）。
【００５８】
図６を参照すると、シャッター３は、一対の第１回動アーム３１・３１、帯状の第１阻止部３２、及び第１当接部３３を有している。一対の第１回動アーム３１・３１は、それらの基端部に軸穴３１ｈを開口している。一方、図５（Ｅ）を参照すると、ハウジング１は、一対の軸部１３ａ・１３ａを相反する向きに突出している。これらの軸部１３ａ・１３ａに一対の軸穴３１ｈ・軸穴３１ｈを嵌合させることで、一対の第１回動アーム３１・３１をハウジング１と回動可能に連結できる（図１０参照）。又、一対の第１回動アーム３１・３１は、異極のプラグハウジング９２ｈを幅方向に挿入可能に離隔している（図３参照）。
【００５９】
図６を参照すると、第１阻止部３２は、一対の第１回動アーム３１・３１の先端部側を連結している。そして、第１阻止部３２は、異極のプラグ９２に設けたキー９２ｋを高さ方向に挿入可能に配置されている（図３参照）。
【００６０】
図６を参照すると、第１当接部３３は、第１回動アーム３１から開口１１ａ側に向けて突出している（図１又は図５（Ｇ）参照）。そして、一対の第１当接部３３・３３は、正規のプラグハウジング９１ｈの一方の端面９１ａの幅方向の両翼に当接できる（図２参照）。
【００６１】
図１０を参照して、図１０（Ａ）に示されるように、シャッター３は、通常、プラグ収容室１１の内部の開口１１ａ側に略起立状態に維持されている。正規のプラグ９１又は異極のプラグ９２を開口１１ａに挿入すると、図１０（Ｂ）に示されるように、シャッター３を傾倒できる。正規のプラグ９１をプラグ収容室１１に更に挿入すると、図１０（Ｃ）に示されるように、シャッター３を倒伏できる。正規のプラグ９１をプラグ収容室１１から引き抜くと、図１０（Ａ）に示されるように、シャッター３を略起立状態に復帰できる。
【００６２】
（シェルの構成）
図７を参照すると、シェル５は、所定の形状に打ち抜き加工された展開板を折り曲げ成形して、箱状に形成されている。シェル５は、ハウジング１の外壁を覆うと共に、ジャック１０の外殻を構成している。金属製のシェル５がハウジング１の外壁を覆うことで、電磁妨害の影響を防止できる。
【００６３】
図７を参照すると、シェル５は、対向する一対の係止片５１・５１を底面側に形成している。図１（Ａ）を参照して、正規のプラグ９１をプラグ収容室１１に挿入すると（図５参照）、ロックレバー９１ｒが一対の係止片５１・５１にスライドして、ロックレバー９１ｒがプラグハウジング９１ｈに近づくように、弾性変形する（図２参照）。正規のプラグ９１をプラグ収容室１１に完全に挿入すると（図５参照）、ロックレバー９１ｒが弾性復帰して、一対の係止爪９１ｎ・９１ｎを係止片５１・５１に係止できる。つまり、正規のプラグ９１をジャック１０にロックできる。ロックレバー９１ｒがプラグハウジング９１ｈに近づくように、ロックレバー９１ｒを把持すると、ロックを解除できる。
【００６４】
図７を参照すると、シェル５は、Ｌ字状に屈曲した一対のタブ片５２・５２を相反する向きに突出している。図１（Ｂ）を参照すると、プリント基板１ｐは、矩形の切り欠き１２ｐを端部に形成している。そして、一対のタブ片５２・５２以降のシェル５を切り欠き１２ｐに挿入できる。切り欠き１２ｐの両翼には、タブ片５２が挿入されるスルーホール（図示せず）を形成することが好ましく、スルーホールにタブ片５２をハンダ接合することが好ましく、プリント基板１ｐに対するジャック１０の接合強度を補強できる。
【００６５】
（コンタクトの構成）
図８を参照すると、コンタクト７は、導電性を有するベローズコンタクトからなり、導電性の金属板を打ち抜き加工又は折り曲げ加工して、所望の形状の導電性のコンタクト７を得ることができる。コンタクト７は加工の容易性や、ばね特性、導電性などを考慮すれば、銅合金が好ましく用いられるが、銅合金に限定される訳ではない。
【００６６】
図８を参照すると、コンタクト７は、固定アーム７ａ、水平アーム７ｂ、及び弾性アーム７ｃで構成している。固定アーム７ａは、直条に延びている。そして、固定アーム７ａは、開口１１ａと反対側のハウジング１の壁面１ａに対向している（図５参照）。固定アーム７ａの先端部側は、プリント基板１ｐに設けたスルーホール（図示せず）に挿入されて、ハンダ接合されるリード端子となっている（図１参照）。
【００６７】
図８を参照すると、固定アーム７ａの基端部は、略直角に屈曲されて、水平アーム７ｂを延出している。水平アーム７ｂの先端部は、鋭角に屈曲されて、固定アーム７ａに向かって延びる弾性アーム７ｃとなっている。水平アーム７ｂ及び弾性アーム７ｃは、ハウジング１に設けた櫛の歯状のスリット開口１１ｓに挿入できる（図５参照）。
【００６８】
図５を参照すると、ハウジング１は、スリット開口１１ｓに連通する櫛の歯状の複数のスリット溝１２ｓをプラグ収容室１１の内壁１ｂに設けている。図８を参照して、水平アーム７ｂ及び弾性アーム７ｃをスリット開口１１ｓに挿入すると、水平アーム７ｂをスリット溝１２ｓに嵌合できる。
【００６９】
図１又は図２を参照して、正規のプラグ９１をプラグ収容室１１に挿入すると、コンタクト７の弾性アーム７ｃ（図８参照）をプラグハウジング９１ｈに形成された切り欠き溝（図２（Ａ）参照）に進入できる。そして、コンタクト９１ｃの板厚面に弾性アーム７ｃを弾性接触できる。
【００７０】
（モジュラージャックの作用）
次に、第１実施形態によるジャック１０の動作を説明しながら、ジャック１０の作用及び効果を説明する。図１１は、第１実施形態によるモジュラージャックに設けたプラグ収容室を縦断面で示した斜視図であり、図１２（Ａ）は、正規のモジュラープラグをプラグ収容室に挿入した状態図、図１２（Ｂ）は、正規のモジュラープラグをプラグ収容室に進入させた状態図、図１２（Ｃ）は、正規のモジュラープラグをプラグ収容室に更に進入させた状態図、図１２（Ｄ）は、正規のモジュラープラグをプラグ収容室に完全に進入させた状態図である。
【００７１】
図１２は、第１実施形態によるモジュラージャックに設けたプラグ収容室を縦断面で示した斜視図であり、図１１（Ａ）は、異極のモジュラープラグをプラグ収容室に挿入した状態図、図１１（Ｂ）は、異極のモジュラープラグがプラグ収容室に進入することを阻止された状態図である。
【００７２】
図１（Ａ）又は図２及び図１１を参照して、正規のプラグ９１を開口１１ａに挿入すると、図１１（Ａ）に示されるように、プラグハウジング９１ｈの一方の端面９１ａの両翼が一対の第１当接部３３・３３に当接する（図６参照）。図１１（Ａ）に示された状態では、キー９１ｋは、一対の第１回動アーム３１・３１の間に配置されると共に、挿入方向では、キー９１ｋの端面が第１阻止部３２に当接しない位置関係になっている（図６参照）。
【００７３】
次に、図１１（Ａ）に示された状態から、正規のプラグ９１をプラグ収容室１１に進入すると、プラグハウジング９１ｈの一方の端面９１ａに一対の第１当接部３３・３３が押されて（図６参照）、図１１（Ｂ）に示されるように、シャッター３が傾倒する。
【００７４】
次に、図１１（Ｂ）に示された状態から、正規のプラグ９１をプラグ収容室１１に更に進入すると、プラグハウジング９１ｈの一方の端面９１ａに一対の第１当接部３３・３３が押されて（図６参照）、図１１（Ｃ）に示されるように、シャッター３が更に傾倒する。
【００７５】
次に、図１１（Ｃ）に示された状態から、正規のプラグ９１をプラグ収容室１１の奥壁に突き当たるまで進入すると、図１１（Ｄ）に示されるように、正規のプラグ９１をジャック１０に接続できる。図１１（Ｄ）に示された状態では、図１０（Ｃ）に示すように、シャッター３は倒伏している。又、図１１（Ｄ）に示された状態では、ロックレバー９１ｒは、ジャック１０に係止している。
【００７６】
このように、第１実施形態によるジャック１０は、コンタクト７と同数のコンタクト９１ｃを有する正規のプラグ９１を開口１１ａから挿入したときは、シャッター３が倒伏して、正規のプラグ９１がプラグ収容室１１に進入することを許容する。
【００７７】
一方、図１（Ｂ）又は図３及び図１２を参照して、異極のプラグ９２を開口１１ａに挿入すると、図１２（Ａ）に示されるように、プラグハウジング９２ｈの一方の端面９２ａが一対の第１回動アーム３１・３１の間を通り抜けて、第１阻止部３２に当接する（図６参照）。図１２（Ａ）に示された状態では、キー９２ｋは、第１阻止部３２の下側に突出している（図６参照）。
【００７８】
次に、図１２（Ａ）に示された状態から、異極のプラグ９２をプラグ収容室１１に進入すると、プラグハウジング９２ｈの一方の端面９２ａに第１阻止部３２が押されて（図６参照）、図１２（Ｂ）に示されるように、シャッター３が傾倒する。
【００７９】
図１２（Ｂ）に示される状態では、プラグハウジング９２ｈの一方の端面９２ａとキー９２ｋとの隅部に第１阻止部３２が係止して（図３及び図６参照）、異極のプラグ９２がプラグ収容室１１に進入することを阻止可能にシャッター３の傾倒状態を維持する。つまり、異極のプラグ９２の誤挿入を防止できる。
【００８０】
このように、第１実施形態によるジャック１０は、コンタクト７より少ない数のコンタクト９２ｃを有する異極のプラグ９２を開口１１ａから挿入したときは、シャッター３が傾倒状態を維持して、異極のプラグ９２がプラグ収容室１１に進入することを阻止する。
【００８１】
第１実施形態によるジャック１０は、正規のプラグ９１をプラグ収容室１１の開口１１ａから挿入したときは、倒伏してプラグ収容室１１に進入することを許容するが、異極のプラグ９２をプラグ収容室１１の開口１１ａから挿入したときは、傾倒状態を維持してプラグ収容室１１に進入することを阻止するシャッター３を備えているので、異なる規格を有するモジュラープラグの進入を確実に阻止できる。
【００８２】
［第２実施形態］
（モジュラージャックの構成）
次に、本発明の第２実施形態によるモジュラージャックの構成を説明する。図１３は、本発明の第２実施形態によるモジュラージャックの構成を示す斜視図であり、図１３（Ａ）は、第２実施形態によるモジュラージャックに接続される正規のモジュラープラグを配置し、図１３（Ｂ）は、異極のモジュラープラグを配置している。
【００８３】
図１３（Ａ）を参照すると、第２実施形態によるジャック２０は、プリント基板１ｐの実装面１１ｐに実装されている。ジャック２０は、正規のプラグ９１が電気的に接続される。ジャック２０には、プリント基板１ｐの実装面１１ｐと略平行にプラグ９１を挿入できる。第２実施形態によるジャック２０は、プラグ９１がプリント基板１ｐの実装面１１ｐと略平行に挿入される水平取付形コネクタを構成している。図１３（Ｂ）を参照すると、ジャック２０には、その開口２１ａに異極のプラグ９２を挿入できる。
【００８４】
引き続き、第２実施形態によるジャック２０の構成を説明する。図１４は、第２実施形態によるモジュラージャックの構成を示す斜視分解組立図である。図１５は、第２実施形態によるモジュラージャックに備わるハウジングの構成を示す図であり、図１５（Ａ）は正面図、図１５（Ｂ）は平面図、図１５（Ｃ）は右側面図、図１５（Ｄ）は左側面図、図１５（Ｅ）は底面図、図１５（Ｆ）は背面図、図１５（Ｇ）は斜視図である。
【００８５】
図１６は、第２実施形態によるモジュラージャックに備わるシャッターの構成を示す図であり、図１６（Ａ）は正面図、図１６（Ｂ）は平面図、図１６（Ｃ）は右側面図、図１６（Ｄ）は左側面図、図１６（Ｅ）は底面図、図１６（Ｆ）は背面図、図１６（Ｇ）は斜視図である。
【００８６】
図１７は、第２実施形態によるモジュラージャックに備わるシェルの構成を示す図であり、図１７（Ａ）は正面図、図１７（Ｂ）は平面図、図１７（Ｃ）は右側面図、図１７（Ｄ）は左側面図、図１７（Ｅ）は底面図、図１７（Ｆ）は背面図、図１７（Ｇ）は斜視図である。
【００８７】
図１８は、第２実施形態によるモジュラージャックに備わるコンタクトの構成を示す図であり、図１８（Ａ）は、コンタクトの斜視図、図１８（Ｂ）は、コンタクトの右側面図である。図１９は、第２実施形態によるモジュラージャックの構成を示す斜視図であり、図１９（Ａ）は、第２実施形態によるモジュラージャックを底面側から観た状態図、図１９（Ｂ）は、第２実施形態によるモジュラージャックに正規のモジュラープラグがロックされた状態図である。
【００８８】
図２０は、第２実施形態によるモジュラージャックの構成を示す斜視図であり、図２０（Ａ）の上段は、シャッターが起立した状態図、図２０（Ｂ）の中段は、シャッターが傾倒した状態図、図２０（Ｃ）の下段は、シャッターが倒伏した状態図である。
【００８９】
図１４から図１８を参照すると、第２実施形態によるジャック２０は、直方体状のハウジング２とシャッター４を備えている。又、ジャック２０は、ねじりコイルばね２ｓ、金属製のシェル６、及び八つのコンタクト８を備えている。
【００９０】
図２及び図１５を参照すると、ハウジング２は、絶縁性を有する合成樹脂を成形している。そして、ハウジング２は、プラグハウジング９１ｈが嵌合する矩形の開口２１ａ、及び開口２１ａに連設された空洞のプラグ収容室２１を有している。又、ハウジング２は、キー９１ｋが通過する一対の対向壁２１ｄ・２１ｄを設けている。
【００９１】
（シャッターの構成）
図１３又は図１６及び図１９を参照すると、シャッター４は、所定の形状に打ち抜き加工された金属製の展開板を折り曲げ成形している。シャッター４は、硬質の合成樹脂を成形してもよい。シャッター４は、プラグ収容室２１の内部の開口２１ａ側に回動可能に配置されている。ねじりコイルばね２ｓは、シャッター４が略起立状態に復帰する力を付勢している。ねじりコイルばね２ｓは、ハウジング２の一方の側面に穿設された収容穴２４ｈに収容できる（図１５（Ｄ）参照）。
【００９２】
図１６を参照すると、シャッター４は、一対の第２回動アーム４１・４１、帯状の第２阻止部４２、及び第２当接部４３を有している。一対の第２回動アーム４１・４１は、それらの基端部に軸穴４１ｈを開口している。一方、図１５（Ｅ）を参照すると、ハウジング２は、一対の軸部２３ａ・２３ａを相反する向きに突出している。これらの軸部２３ａ・２３ａに一対の軸穴４１ｈ・軸穴４１ｈを嵌合させることで、一対の第２回動アーム４１・４１をハウジング２と回動可能に連結できる（図２０参照）。又、一対の第２回動アーム４１・４１は、異極のプラグハウジング９２ｈを幅方向に挿入可能に離隔している（図３又は図１３（Ｂ）参照）。
【００９３】
図１６を参照すると、第２阻止部４２は、一対の第２回動アーム４１・４１の先端部側を連結している。そして、第２阻止部４２は、その下端部が異極のプラグ９２に設けたキー９２ｋの端面９２ａを当接可能に配置されている（図３参照）。
【００９４】
図１６を参照すると、第２当接部４３は、第２回動アーム４１から開口２１ａ側に向けて突出している（図１３又は図１５（Ｇ）参照）。そして、一対の第２当接部４３・４３は、正規のプラグハウジング９１ｈの一方の端面９１ａの幅方向の両翼に当接できる（図２参照）。
【００９５】
図２０を参照して、図２０（Ａ）に示されるように、シャッター４は、通常、プラグ収容室２１の内部の開口２１ａ側に略起立状態に維持されている。正規のプラグ９１を開口２１ａに挿入すると、図２０（Ｂ）に示されるように、シャッター４を傾倒できる。正規のプラグ９１をプラグ収容室２１に挿入すると、図２０（Ｃ）に示されるように、シャッター４を倒伏できる。正規のプラグ９１をプラグ収容室２１から引き抜くと、図２０（Ａ）に示されるように、シャッター４を略起立状態に復帰できる。なお、図２０の左の列は、ジャック２０を上面側から観た状態図、図２０の右の列は、ジャック２０を下面側から観た状態図である。
【００９６】
（シェルの構成）
図１７を参照すると、シェル６は、所定の形状に打ち抜き加工された展開板を折り曲げ成形して、箱状に形成されている。シェル６は、ハウジング２の外壁を覆うと共に、ジャック２０の外殻を構成している。金属製のシェル６がハウジング２の外壁を覆うことで、電磁妨害の影響を防止できる。
【００９７】
図１７を参照すると、シェル６は、対向する一対の案内片６１・６１を底面側に形成している。図１３を参照して、正規のプラグ９１又は異極のプラグ９２をプラグ収容室２１の開口２１ａに挿入すると（図１５参照）、キー９１ｋ又はキー９２ｋが一対の案内片６１・６１に案内される。つまり、一対の案内片６１・６１は、キー９１ｋ又はキー９２ｋを案内するキー溝になっている。
【００９８】
図１７を参照すると、シェル６は、Ｌ字状に屈曲した一対一組のタブ片６２・６２を相反する向きに突出している。図１３（Ｂ）を参照すると、プリント基板１ｐは、矩形の切り欠き１２ｐを端部に形成している。そして、一対一組のタブ片６２・６２以降のシェル６を切り欠き１２ｐに挿入できる。切り欠き１２ｐの両翼には、タブ片６２が挿入されるスルーホール（図示せず）を形成することが好ましく、スルーホールにタブ片６２をハンダ接合することが好ましく、プリント基板１ｐに対するジャック２０の接合強度を補強できる。
【００９９】
（コンタクトの構成）
図１８を参照すると、コンタクト８は、導電性を有するスネーク状コンタクトからなり、導電性の金属板を打ち抜き加工又は折り曲げ加工して、所望の形状の導電性のコンタクト８を得ることができる。コンタクト８は加工の容易性や、ばね特性、導電性などを考慮すれば、銅合金が好ましく用いられるが、銅合金に限定される訳ではない。
【０１００】
図１８を参照すると、コンタクト８は、固定アーム８ａ、リード端子８ｒ、弾性アーム８ｂ、及び水平アーム８ｃで構成している。固定アーム８ａは、直条に延びている。そして、固定アーム８ａは、開口２１ａと反対側のハウジング２の壁面２ａに対向している（図１５又は図２３参照）。
【０１０１】
図１８を参照すると、リード端子８ｒは、固定アーム８ａの一方の端部から湾曲して、固定アーム８ａと略平行に延びている。そして、リード端子８ｒは、ハウジング２の外部に配置されている（図２３参照）。リード端子８ｒの先端部側は、プリント基板１ｐに設けたスルーホール（図示せず）に挿入されて、ハンダ接合できる（図１３参照）。
【０１０２】
図１８を参照すると、弾性アーム８ｂは、固定アーム８ａの他方の端部から湾曲して、固定アーム８ａと略平行に延びている。水平アーム８ｃは、弾性アーム８ｂの先端部が略直角に屈曲されて、固定アーム８ａと反対側に延出している。固定アーム８ａ、弾性アーム８ｂ、及び水平アーム８ｃの基端部側は、ハウジング２に設けた櫛の歯状のスリット溝２１ｓに挿入できる（図１５又は図２３参照）。
【０１０３】
図１５を参照して、ハウジング２に設けたスリット溝２１ｓにコンタクト８を挿入すると、水平アーム８ｃの先端部側をプラグ収容室２１に延出できる（図２３参照）。図１８を参照すると、水平アーム８ｃは、接点８１ｓを先端部に設けている。
【０１０４】
図２又は図１３を参照して、正規のプラグ９１をプラグ収容室２１に挿入すると、コンタクト８の水平アーム８ｃ（図１８参照）をプラグハウジング９１ｈに形成された切り欠き溝（図２（Ａ）参照）に進入できる。そして、コンタクト９１ｃの板厚面に水平アーム８ｃの接点１８ｃを弾性接触できる（図２５参照）。
【０１０５】
（モジュラージャックの作用）
次に、第２実施形態によるジャック２０の動作を説明しながら、ジャック２０の作用及び効果を説明する。図２１は、第２実施形態によるモジュラージャックに設けたプラグ収容室を縦断面で示した斜視図であり、図２１（Ａ）は、正規のモジュラープラグをプラグ収容室に挿入した状態図、図２１（Ｂ）は、正規のモジュラープラグをプラグ収容室に進入させた状態図、図２１（Ｃ）は、正規のモジュラープラグをプラグ収容室に更に進入させた状態図、図２１（Ｄ）は、正規のモジュラープラグをプラグ収容室に完全に進入させた状態図である。
【０１０６】
図２２は、第２実施形態によるモジュラージャックに設けたプラグ収容室を縦断面で示した斜視図であり、図２２（Ａ）は、異極のモジュラープラグをプラグ収容室に挿入した状態図、図２２（Ｂ）は、異極のモジュラープラグがプラグ収容室に進入することを阻止された状態図である。
【０１０７】
図２又は図１３（Ａ）及び図２１を参照して、正規のプラグ９１を開口２１ａに挿入すると、図２１（Ａ）に示されるように、プラグハウジング９１ｈの一方の端面９１ａの両翼が一対の第２当接部４３・４３に当接する（図１６参照）。図２１（Ａ）に示された状態では、キー９１ｋは、一対の第２回動アーム４１・４１の間に配置されると共に、挿入方向では、キー９１ｋの端面が第２阻止部４２の下端部に当接しない位置関係になっている（図１６参照）。
【０１０８】
次に、図２１（Ａ）に示された状態から、正規のプラグ９１をプラグ収容室２１に進入すると、プラグハウジング９１ｈの一方の端面９１ａに一対の第２当接部４３・４３が押されて（図１６参照）、図２１（Ｂ）に示されるように、シャッター４が傾倒する。
【０１０９】
次に、図２１（Ｂ）に示された状態から、正規のプラグ９１をプラグ収容室２１に更に進入すると、プラグハウジング９１ｈの一方の端面９１ａに一対の第２当接部４３・４３が押されて（図１６参照）、図２１（Ｃ）に示されるように、シャッター４が更に傾倒する。
【０１１０】
次に、図２１（Ｃ）に示された状態から、正規のプラグ９１をプラグ収容室２１の奥壁に突き当たるまで進入すると、図２１（Ｄ）に示されるように、正規のプラグ９１をジャック２０に接続できる。図２１（Ｄ）に示された状態では、図２０（Ｃ）に示すように、シャッター４は倒伏している。又、図２１（Ｄ）に示された状態では、ロックレバー９１ｒに設けた一対の係止爪９１ｎ・９１ｎは、シャッター４に設けた一対の凸状の係止部４４・４４に係止できる（図１６又は図１９（Ｂ）参照）。
【０１１１】
このように、第２実施形態によるジャック２０は、コンタクト８と同数のコンタクト９１ｃを有する正規のプラグ９１を開口２１ａから挿入したときは、シャッター４が倒伏して、正規のプラグ９１がプラグ収容室２１に進入することを許容する。
【０１１２】
一方、図３又は図１３（Ｂ）及び図２２を参照して、異極のプラグ９２を開口２１ａに挿入すると、図２２（Ａ）に示されるように、プラグハウジング９２ｈの一方の端面９２ａが一対の第２回動アーム４１・４１の間を通り抜けて、第２阻止部４２の上部側に当接する（図１６参照）。図２２（Ａ）に示された状態では、キー９２ｋの先端面は、第２阻止部４２の下部側に当接している（図１６参照）。
【０１１３】
次に、図２２（Ａ）に示された状態から、異極のプラグ９２をプラグ収容室２１に進入すると、プラグハウジング９２ｈの一方の端面９２ａが第２阻止部４２の上部側に当接して、一対の第２回動アーム４１・４１を一方の方向に回動させる（図１６参照）。一方、キー９２ｋの先端面が第２阻止部４２の下部側に当接して、一対の第２回動アーム４１・４１を他方の方向に回動させる。
【０１１４】
図２２（Ｂ）に示される状態では、プラグハウジング９２ｈの一方の端面９２ａとキー９２ｋの先端面が第２阻止部４２に当接して（図３及び図１６参照）、異極のプラグ９２がプラグ収容室２１に進入することを阻止可能にシャッター４の略起立状態を維持する。つまり、異極のプラグ９２の誤挿入を防止できる。
【０１１５】
このように、第２実施形態によるジャック２０は、コンタクト８より少ない数のコンタクト９２ｃを有する異極のプラグ９２を開口２１ａから挿入したときは、シャッター４が略起立状態を維持して、異極のプラグ９２がプラグ収容室２１に進入することを阻止する。
【０１１６】
第２実施形態によるジャック２０は、正規のプラグ９１をプラグ収容室２１の開口２１ａから挿入したときは、倒伏してプラグ収容室２１に進入することを許容するが、異極のプラグ９２をプラグ収容室２１の開口２１ａから挿入したときは、略起立状態を維持してプラグ収容室２１に進入することを阻止するシャッター４を備えているので、異なる規格を有するモジュラープラグの進入を確実に阻止できる。
【０１１７】
次に、第２実施形態によるジャック２０に備わるコンタクト８の動作を説明しながら、コンタクト８の作用及び効果を説明する。図２３は、第２実施形態によるモジュラージャックに設けたプラグ収容室を縦断面で示した斜視図であり、正規のモジュラープラグをプラグ収容室に挿入する前の状態図である。
【０１１８】
図２４は、第２実施形態によるモジュラージャックに設けたプラグ収容室を縦断面で示した斜視図であり、正規のモジュラープラグをプラグ収容室に挿入したときのコンタクトの状態変化を想像線で示している。
【０１１９】
図２５は、第２実施形態によるモジュラージャックに設けたプラグ収容室に正規のモジュラープラグを挿入した状態を縦断面で示した斜視図である。
【０１２０】
図２３を参照すると、通常、水平アーム８ｃの先端部側は、プラグ収容室２１に延出している。図２５を参照して、正規のプラグ９１をプラグ収容室２１に進入すると、コンタクト９１ｃの板厚面が接点８１ｓに接触する。正規のプラグ９１をプラグ収容室２１に更に進入すると、弾性アーム８ｂが撓んで水平アーム８ｃが後退する（図２４参照）。つまり、第２実施形態によるコンタクト８は、相手側コンタクトを押す方向に変位可能なスネークスプリングになっている。
【０１２１】
第１実施形態によるコンタクト７（図８参照）と、第２実施形態によるコンタクト８（図１８参照）を対比すると、図８に示されたコンタクト７は、弾性アーム７ｃが水平アーム７ｂに向かって変位するように構成されている。この場合、弾性アーム７ｃは、水平アーム７ｂに密着することなく、水平アーム７ｂとの間に余裕を必要としている。一方、図１８に示されたコンタクト８は、水平アーム８ｃが高さ方向に殆んど変位することなく、相手側コンタクトを押す方向にのみ変位できる（図２４参照）。
【０１２２】
第１実施形態によるコンタクト７と第２実施形態によるコンタクト８は、上述した違いがあるので、第２実施形態によるハウジング２は、Ｖ字状に屈曲した複数のコンタクト７を配列したハウジング１と比べて、コンタクト８を保持する極間壁を高さ方向に薄くできる。そして、これにより、第２実施形態によるジャック２０を低背化できる。
【符号の説明】
【０１２３】
１  ハウジング
３  シャッター
７  コンタクト
１０  ジャック（モジュラージャック）
１１  プラグ収容室
１１ａ  開口
１１ｄ  キー溝
９１  プラグ（正規のモジュラープラグ）
９１ｃ  コンタクト（相手側コンタクト）
９１ｈ  プラグハウジング
９１ｋ  キー
９２  プラグ（異極のモジュラープラグ）
【図１】
2013222523.tif 000003
【図２】
2013222523.tif 000004
【図３】
2013222523.tif 000005
【図４】
2013222523.tif 000006
【図５】
2013222523.tif 000007
【図６】
2013222523.tif 000008
【図７】
2013222523.tif 000009
【図８】
2013222523.tif 000010
【図９】
2013222523.tif 000011
【図１０】
2013222523.tif 000012
【図１１】
2013222523.tif 000013
【図１２】
2013222523.tif 000014
【図１３】
2013222523.tif 000015
【図１４】
2013222523.tif 000016
【図１５】
2013222523.tif 000017
【図１６】
2013222523.tif 000018
【図１７】
2013222523.tif 000019
【図１８】
2013222523.tif 000020
【図１９】
2013222523.tif 000021
【図２０】
2013222523.tif 000022
【図２１】
2013222523.tif 000023
【図２２】
2013222523.tif 000024
【図２３】
2013222523.tif 000025
【図２４】
2013222523.tif 000026
【図２５】
2013222523.tif 000027